(57)【要約】【課題】  印刷物の掲載内容と、対応するデジタルコンテンツ素材の掲載内容との整合性をとりつつ、デジタルコンテンツ素材は掲載商品に関する更新情報を適宜表示可能とする情報処理サーバ等を提供する。【解決手段】  情報処理サーバ１０１は、印刷物作成用データをＷｅｂサービスに変換した、ページ毎の複数の商品情報を配置する印刷物画像データと、商品情報の文字／画像にリンクさせ、商品の関連情報の表示・リンク制御を行うリンク情報とを有するデジタルコンテンツ素材１１１と、商品の更新情報を取得し、デジタルコンテンツ素材１１１の該当するリンク情報の表示情報を更新情報に書き換え保持するデジタルコンテンツ素材更新手段１１２とを備え、所定のマウスイベントに応じて、更新情報を表示可能とするデジタルコンテンツ素材１１１を提供する。【選択図】  図１
2006350403.tif 000002
【特許請求の範囲】
【請求項１】
ネットワークを介して、少なくとも１つのクライアント端末に接続され、印刷物作成用データをＷｅｂサービスに変換したデジタルコンテンツ素材を前記クライアント端末に提供する情報処理サーバであって、
前記デジタルコンテンツ素材は、前記印刷物作成用データを構成するページ毎の、文字／画像を有する少なくとも１つの素材情報を配置する画像データと、前記素材情報の文字／画像にリンクさせ、リンクに関する情報の表示及びリンク制御を行うリンク情報と、を有し、
素材に対応付けられる関連情報を取得し、前記デジタルコンテンツ素材内の該当する素材のリンク情報に対して、その表示情報を、前記関連情報に書き換え、保持する更新手段と、
前記クライアント端末からの要求に応じて、マウスカーソルの所定のマウスイベント、又はキーボードの所定のキーイベントにより、前記更新手段により更新された素材の関連情報を表示する前記デジタルコンテンツ素材を、前記クライアント端末に提供する提供手段と、
を具備することを特徴とする情報処理サーバ。
【請求項２】
前記印刷物作成用データは、印刷物を構成する画像、テキストからなるＤＴＰデータ、又は印刷物を走査して得るデジタルデータであることを特徴とする請求項１記載の情報処理サーバ。
【請求項３】
前記素材の関連情報は、文字データ、画像データ、２次元バーコードのいずれかであることを特徴とする請求項１記載の情報処理サーバ。
【請求項４】
前記更新手段は、前記デジタルコンテンツ素材内の該当する素材のリンク情報に対して、前記表示情報のアドレスとして、前記素材の関連情報のアドレスを設定し、保持することを特徴とする請求項１記載の情報処理サーバ。
【請求項５】
印刷物作成用データをＷｅｂサービスに変換したデジタルコンテンツ素材を前記クライアント端末に提供する情報処理サーバと、少なくとも１つのクライアント端末と、がネットワークを介して接続される情報処理システムにおける情報処理方法であって、
前記情報処理サーバが実行する、
前記デジタルコンテンツ素材は、前記印刷物作成用データを構成するページ毎の、文字／画像を有する少なくとも１つの素材情報を配置する画像データと、前記素材情報の文字／画像にリンクさせ、リンクに関する情報の表示及びリンク制御を行うリンク情報と、を有し、
素材に対応付けられる関連情報を取得し、前記デジタルコンテンツ素材内の該当する素材のリンク情報の表示情報を、前記関連情報に書き換え、保持する更新ステップと、
前記クライアント端末からの要求に応じて、マウスカーソルの所定のマウスイベント、又はキーボードの所定のキーイベントにより、前記更新手段により更新された素材の関連情報を表示する前記デジタルコンテンツ素材を、前記クライアント端末に提供する提供ステップと、
を具備することを特徴とする情報処理方法。
【請求項６】
コンピュータを請求項１から請求項４のいずれかに記載の情報処理サーバとして機能させるプログラム。
【請求項７】
コンピュータを請求項１から請求項４のいずれかに記載の情報処理サーバとして機能させるプログラムを記録した記録媒体。
【発明の詳細な説明】
【技術分野】
【０００１】
本発明は、ネットワークを介して、印刷物作成用データ（ＤＴＰデータ等）をＷｅｂサービスに変換したデジタルコンテンツ素材を提供する情報処理サーバに係り、特に、デジタルコンテンツ素材における、マウスカーソルの所定のマウスイベントにより、掲載商品に関連する情報を表示可能とする処理に関する。
【背景技術】
【０００２】
近年、インターネット等に代表されるネットワーク技術が急速に普及し、Ｗｅｂ上で動作するＷｅｂアプリケーションやＷｅｂコンテンツが多数存在する。例えば、情報の入出力、検索、閲覧等の機能を提供するサーバと複数のクライアント端末等からなるＷｅｂ上で動作する電子ショッピングシステムが幾つか存在する。このような電子ショッピングシステムにおいて、商品やサービスの特売を実施するための、特売表示や販売価格等の特売状態を制御する方法について開示されている（例えば、特許文献１）。
【０００３】
また、チラシ、カタログなどの印刷物の原本を意識し、その基になった版下を作成するＤＴＰ（Ｄｅｓｋ  Ｔｏｐ  Ｐｕｂｌｉｓｈｉｎｇ）データや、スキャンニングなどでデジタルデータ化したデータを、ＨＴＭＬやＦｌａｓｈなどのマークアップ言語を用いて、Ｗｅｂサービスに変換したデジタルコンテンツ素材が存在する（例えば、特許文献２参照）。
【０００４】
従来のデジタルコンテンツ素材では、デジタルコンテンツ素材内のリンク対象となっている画像や文字に対し、そのリンクに関するアンカー情報などを、例えば、ＨＴＭＬのｔｉｔｌｅ属性などで記述することにより、そのリンクに対するマウスイベントが発生した際に、その記述内容を利用者に明示していた。例えば、通信販売向けの印刷冊子（商品カタログ）がデジタルコンテンツ素材として提供された場合、通信販売の商品注文番号にリンクが張られている場合（リンク先例として、商品詳細画面など）、その商品注文番号にマウスを置くと、例えば、れ、利用者にリンクに対するアンカー情報に付随した内容を告知することが可能だった。
【０００５】
また、デジタルコンテンツ素材内の掲載商品の詳細な情報を利用者に提示する場合、商品の詳細情報の２次元バーコード（例えばＱＲコード）を作成し、直接、埋め込むことにより、利用者は、カメラ付き携帯電話等で２次元バーコードを読み取り、商品の詳細情報を取得することが可能であった。
【０００６】
【特許文献１】特開２００２−１５００９５号公報
【特許文献２】特許２０００−３３９３６７号公報
【発明の開示】
【発明が解決しようとする課題】
【０００７】
従来のデジタルコンテンツ素材では、例えば、前述した通信販売向けの印刷冊子などを例にした場合、その印刷冊子に記載された商品の内容(価格、在庫数等)が有効である期間内において、その冊子内の掲載商品に価格改定、在庫切れなどが発生した際は、利用者に対してその情報を告知することが望ましい。
【０００８】
しかしながら、利用者が、在庫確認、価格改定等の最新情報を取得するには、印刷物（例えば商品カタログ）に相当するデジタルコンテンツ素材提供サイト（例えばカタログサイト）から、商品の販売元サイトへ移行し、その時点で、はじめて当該商品に関する最新情報を取得しており、最新情報確認等の手順を簡略化し、デジタルコンテンツ素材画面（カタログサイト）で在庫数、価格改定等の最新情報確認を可能とするという要望も強くなってきている。
【０００９】
一方、ＨＴＭＬやＦｌａｓｈなどを利用した表現手法で記載内容を変更する場合は、印刷冊子の原本の基となったＤＴＰデータや、スキャニングのデータに修正を加えた上で、改めてデジタルデータ化を行い、ＨＴＭＬやＦｌａｓｈなどを利用した表現手法に再変換し直せば、比較的容易に変更することが可能であり、利用者に告知することが可能であるが、印刷冊子の掲載内容が（有効期間内にあるにも関わらず）、デジタルコンテンツ素材での記載内容と異なっている場合、利用者の手元にある印刷冊子の掲載内容は、正しい内容なのか、有効期間内の内容なのかなど、利用者に余計な不安を抱かせる可能性がある。
【００１０】
また、デジタルコンテンツ素材に２次元バーコードを付加することは可能であるが、印刷冊子の掲載内容に２次元バーコードを付加すると、本来の印刷冊子の掲載内容と異なるうえに、利用者に対し、冗長な情報を提示する可能性があり、印刷冊子本来のデザインが損なう可能性があった。
【００１１】
本発明は、以上の点に鑑みてなされたものであり、印刷物の掲載内容と、相当するデジタルコンテンツ素材の掲載内容との整合性をとりつつ、デジタルコンテンツ素材は掲載商品に関する更新情報を適宜表示可能とする情報処理サーバ等を提供することを目的とする。
【課題を解決するための手段】
【００１２】
前述した目的を達成するために第１の発明は、ネットワークを介して、少なくとも１つのクライアント端末に接続され、印刷物作成用データをＷｅｂサービスに変換したデジタルコンテンツ素材を前記クライアント端末に提供する情報処理サーバであって、前記デジタルコンテンツ素材は、前記印刷物作成用データを構成するページ毎の、文字／画像を有する少なくとも１つの素材情報を配置する画像データと、前記素材情報の文字／画像にリンクさせ、リンクに関する情報の表示及びリンク制御を行うリンク情報と、を有し、素材に対応付けられる関連情報を取得し、前記デジタルコンテンツ素材内の該当する素材のリンク情報に対して、その表示情報を、前記関連情報に書き換え、保持する更新手段と、前記クライアント端末からの要求に応じて、マウスカーソルの所定のマウスイベント、又はキーボードの所定のキーイベントにより、前記更新手段により更新された素材の関連情報を表示する前記デジタルコンテンツ素材を、前記クライアント端末に提供する提供手段と、を具備することを特徴とする情報処理サーバである。
【００１３】
また、前記更新手段は、前記デジタルコンテンツ素材内の該当する素材のリンク情報に対して、前記表示情報のアドレスとして、前記素材の関連情報のアドレスを設定し、保持することが望ましい。
【００１４】
第１の発明による情報処理サーバは、ネットワークを介して、少なくとも１つのクライアント端末に接続され、デジタルコンテンツ素材は、印刷物作成用データをＷｅｂサービスに変換し、印刷物作成用データを構成するページ毎の、文字／画像を有する少なくとも１つの素材情報を配置する画像データと、素材情報の文字／画像にリンクさせ、リンクに関する情報の表示及びリンク制御を行うリンク情報と、を有し、素材に対応付けられる関連情報を取得し、デジタルコンテンツ素材内の該当する素材のリンク情報に対して、その表示情報を、関連情報に書き換え、保持し、クライアント端末からの要求に応じて、マウスカーソルの所定のマウスイベント、又はキーボードの所定のキーイベントにより、更新された素材の関連情報を表示するデジタルコンテンツ素材を、クライアント端末に提供する。
【００１５】
「印刷物作成用データ」は、印刷物を構成する画像、テキストからなるＤＴＰデータ、又は印刷物を走査して得るデジタルデータである。
「素材の関連情報」は、商品等の文字データ、画像データ、２次元バーコードのいずれかである。
「デジタルコンテンツ素材」は、印刷物作成用データをＷｅｂサービスのマークアップ言語（ＨＴＭＬ、ＸＨＴＭＬ、Ｆｌａｓｈ等）に変換したデータであり、印刷物作成用データを構成するページ毎の、複数の商品情報を配置する印刷物画像データと、商品情報の文字／画像にリンクさせ、商品の関連情報の表示制御を行うリンク情報とを有する。
【００１６】
第１の発明では、印刷物の掲載内容と、印刷物作成用データをＷｅｂサービスに変換したデジタルコンテンツ素材の掲載内容との整合性をとりつつ、デジタルコンテンツ素材画面にて掲載商品に関する更新情報を適宜表示可能とする。印刷物に記載された商品の内容(例えば、価格、在庫数)が有効である期間内において、その印刷物内の掲載商品に価格改定、在庫切れなどが発生した際は、従来は、掲載商品の販売元のサイトに入ってはじめて、掲載商品の最新情報の確認を行うことが可能であったが、操作手順を簡略化し、デジタルコンテンツ素材画面（カタログサイト）で利用者に対して最新情報を告知することが可能となる。
【００１７】
第２の発明は、印刷物作成用データをＷｅｂサービスに変換したデジタルコンテンツ素材を前記クライアント端末に提供する情報処理サーバと、少なくとも１つのクライアント端末と、がネットワークを介して接続される情報処理システムにおける情報処理方法であって、前記情報処理サーバが実行する、前記デジタルコンテンツ素材は、前記印刷物作成用データを構成するページ毎の、文字／画像を有する少なくとも１つの素材情報を配置する画像データと、前記素材情報の文字／画像にリンクさせ、リンクに関する情報の表示及びリンク制御を行うリンク情報とを有し、素材に対応付けられる関連情報を取得し、前記デジタルコンテンツ素材内の該当する素材のリンク情報の表示情報を、前記関連情報に書き換え、保持する更新ステップと、前記クライアント端末からの要求に応じて、マウスカーソルの所定のマウスイベント、又はキーボードの所定のキーイベントにより、前記更新手段により更新された素材の関連情報を表示する前記デジタルコンテンツ素材を、前記クライアント端末に提供する提供ステップと、を具備することを特徴とする情報処理方法である。
【００１８】
第２の発明は、第１の発明の情報処理サーバにより実行される情報処理方法に関する発明である。
【００１９】
第３の発明は、コンピュータを第１の発明の情報処理サーバとして機能させるプログラムである。
第４の発明は、コンピュータを第１の発明の情報処理サーバとして機能させるプログラムを記録した記録媒体である。
【００２０】
上述のプログラムをＣＤ−ＲＯＭ等の記録媒体に保持させて流通させてもよいし、このプログラムを通信回線を介して送受することもできる。
【発明の効果】
【００２１】
本発明は、印刷物の掲載内容と、相当するデジタルコンテンツ素材の掲載内容との整合性をとりつつ、デジタルコンテンツ素材は掲載商品に関する更新情報を適宜表示可能とする情報処理サーバ等を提供することができる。
【発明を実施するための最良の形態】
【００２２】
以下に、添付図面を参照しながら、本発明に係る情報処理システム等の好適な実施形態について詳細に説明する。なお、以下の説明および添付図面において、略同一の機能構成を有する構成要素については、同一の符号を付することにより重複説明を省略することにする。
【００２３】
最初に、図１を参照しながら、本発明による本実施の形態に係る情報処理システム１００の構成について説明する。図１は、本実施の形態に係る情報処理システム１００の構成を示すブロック図である。
【００２４】
図１は、情報処理システムの１例であり、図１に示すように、情報処理システム１００は、情報処理サーバ１０１と、複数のクライアント端末１０３、販売元サーバ１０５等がネットワーク１０９を介して接続されて構成される。
【００２５】
ネットワーク１０９は、インターネット、ローカルエリアネットワーク（ＬＡＮ）等のネットワークであり、有線、無線を問わない。
【００２６】
情報処理サーバ１０１は、サーバコンピュータ等であり、例えば、カタログ、チラシ等の印刷冊子（印刷物）を、ネットワークを介して提示するカタログサイトを運営・管理するサーバである。情報処理サーバ１０１は、Ｗｅｂサーバ１１０、デジタルコンテンツ素材１１１、デジタルコンテンツ素材更新手段１１２等を有する。
【００２７】
デジタルコンテンツ素材１１１は、印刷物を構成する画像、文字からなるＤＴＰデータ、又は印刷物を走査して得るデジタルデータ等の印刷物作成用データをＷｅｂサービスのマークアップ言語（ＨＴＭＬ、ＸＨＴＭＬ、Ｆｌａｓｈ等）に変換したデータであり、Ｗｅｂサーバ１１０から呼び出され、クライアント端末１０３に提供される。
デジタルコンテンツ素材更新手段１１２は、デジタルコンテンツ素材１１１内のリンク対象となっている画像や文字にリンクさせ、素材の関連情報の表示制御を行うリンク情報の表示情報を、当該素材（商品）に関する最新情報や関連情報に書き換え、保持する。
【００２８】
クライアント端末１０３は、パーソナルコンピュータ、携帯型端末機（Ｐｅｒｓｏｎａｌ  Ｄｉｇｉｔａｌ  Ａｓｓｉｓｔａｎｔ）等である。クライアント端末１０３には、Ｗｅｂブラウザ１２０が搭載される。クライアント端末１０３は、Ｗｅｂブラウザ１２０を介して、情報処理サーバ１０１のＷｅｂサーバ１１０にアクセスし、デジタルコンテンツ素材１１１を受信し、表示、閲覧する。
【００２９】
販売元サーバ１０５は、サーバコンピュータ等であり、情報処理サーバ１０１のデジタルコンテンツ素材１１１内の掲載商品の販売元が管理するサーバであり、各商品の在庫数、価格改定等の商品の詳細情報を提供する。例えば、デジタルコンテンツ素材１１１内の掲載商品の商品注文番号にリンクが張られ、リンク先として、販売元サーバ１０５の販売元サイトの商品詳細画面のＵＲＬが設定され、その商品注文番号をクリックすると、販売元サーバ１０５の販売元サイトの商品詳細画面へ移行する。
【００３０】
次に、情報処理サーバ１０１のハードウェア構成を説明する。図２は、情報処理サーバ１０１のハードウェア構成図である。
【００３１】
情報処理サーバ１０１は、制御部２０１、記憶部２０２、メディア入出力部２０３、通信制御部２０４、入力部２０５、表示部２０６、印刷部２０７等が、システムバス２０９を介して接続されて構成される。
【００３２】
制御部２０１は、ＣＰＵ（Ｃｅｎｔｒａｌ  Ｐｒｏｃｅｓｓｉｎｇ  Ｕｎｉｔ  ）、ＲＯＭ（Ｒｅａｄ  Ｏｎｌｙ  Ｍｅｍｏｒｙ  ）、ＲＡＭ（Ｒａｎｄｏｍ  Ａｃｃｅｓｓ  Ｍｅｍｏｒｙ）等で構成される。
【００３３】
ＣＰＵは、記憶部２０２、ＲＯＭ、記録媒体等に格納されるプログラムをＲＡＭ上のワークメモリ領域に呼び出して実行し、システムバス２０９を介して接続された各装置を駆動制御し、情報処理サーバ１０１が行う後述する各種処理（図６、図７参照）を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部２０２、ＲＯＭ、記録媒体等からロードしたプログラム、データ等を一時的に保持するとともに、制御部２０１が各種処理を行う為に使用するワークエリアを備える。
【００３４】
記憶部２０２は、ＨＤＤ（ハードディスクドライブ）であり、制御部２０１が実行するプログラム、プログラム実行に必要なデータ、ＯＳ（オペレーティングシステム）等が格納される。プログラムに関しては、ＯＳ（オペレーティングシステム）に相当する制御プログラム３０４や、本コンピュータを適用する情報処理サーバ１０１が行う後述の処理に相当するデジタルコンテンツ素材更新プログラム３０３やＷｅｂサーバに相当するアプリケーションプログラム等が格納されている。
これらの各プログラムコードは、制御部２０１により必要に応じて読み出されてＲＡＭに移され、ＣＰＵに読み出されて各種の手段として実行される。
【００３５】
メディア入出力部２０３（ドライブ装置）は、データの入出力を行い、例えば、フロッピディスクドライブ、ＰＤドライブ、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置等を有する。
【００３６】
通信制御部２０４は、通信制御装置、通信ポート等を有し、情報処理サーバ１０１とネットワーク１０９間の通信を媒介する通信インタフェースであり、ネットワーク１０９を介して、情報処理サーバ１０１と、クライアント端末１０３や販売元サーバ１０５間の通信制御を行う。
【００３７】
入力部２０５は、データの入力を行い、例えば、キーボード、マウス等のポインティングデバイス、テンキー等の入力装置を有する。
入力部２０５を介して、情報処理サーバ１０１に対して、操作指示、動作指示、データ入力等を行うことができる。
【００３８】
表示部２０６は、ＣＲＴモニタ、液晶パネル等のディスプレイ装置、ディスプレイ装置と連携してコンピュータのビデオ機能を実現するための論理回路等（ビデオアダプタ等）を有する。
【００３９】
印刷部２０７は、プリンタであり、印刷出力処理を行う。
【００４０】
システムバス２０９は、各装置間の制御信号、データ信号等の授受を媒介する経路である。
【００４１】
次に、図３を参照しながら、情報処理サーバ１０１の記憶部２０２が保持する情報について説明する。図３は、記憶部２０２が保持する情報を示す図である。
【００４２】
記憶部２０２内には、デジタルコンテンツ素材１１１、少なくとも１つの更新情報３０２及びデジタルコンテンツ素材更新プログラム３０３、制御プログラム３０４等が格納されている。
【００４３】
図４は、デジタルコンテツ素材１１１のデータ構成を示す図である。
デジタルコンテンツ素材１１１は、印刷物を構成する画像、テキストからなるＤＴＰデータ、又は印刷物を走査して得るデジタルデータ等である印刷物作成用データをＷｅｂサービスのマークアップ言語（ＨＴＭＬ、ＸＨＴＭＬ、Ｆｌａｓｈ等）に変換したデータであり、例えばＨＴＭＬ形式ファイルである。
【００４４】
図４に示すように、デジタルコンテンツ素材１１１は、印刷物（例えば商品カタログ冊子）を構成するページ毎の、画像、文字等のデータからなる商品情報４２を配置した印刷物作成用データである少なくとも１つの印刷物画像データ４１と、リンク対象となっている画像や文字にリンクさせ、商品の関連情報の表示制御やリンク制御を行う少なくとも１つのリンク情報４３を有する。リンク情報４３は、位置情報５１、リンク先アドレス５２、表示情報５３、商品固有番号５４等を少なくとも有する。位置情報５１は表示位置を示し、例えば、左下ｘ座標、左下ｙ座標、右上ｘ座標、右上ｙ座標等からなる。リンク先アドレス５２は、リンク先の場所を示し、相対パスや絶対パスである。表示情報５３は、表示内容であり、テキストデータ６１、画像データ６２、２次元バーコード６３のいずれかである。商品固有番号５４は、該当する商品の識別情報であり、例えば商品注文番号である。
尚、デジタルコンテンツ素材１１１のデータ構成は、この構成に限られるものではない。
【００４５】
更新情報３０２は、デジタルコンテンツ素材更新手段１１２により、デジタルコンテンツ素材１１１の掲載商品毎にリンク対象となっている画像や文字にリンクさせ、素材の関連情報の表示制御を行うリンク情報の表示情報を書き換える情報であり、商品固有番号と、更新データを有する。商品固有番号は、更新する商品の識別情報であり、例えば商品注文番号、商品ＩＤ等である。更新データは、書き換える表示データであり、テキスト、画像データ、２次元バーコード（ＱＲコード）等である。
尚、更新情報３０２のデータ構成は、この構成に限られるものではない。
【００４６】
デジタルコンテンツ素材更新プログラム３０３は、情報処理サーバ１０１が行う後述の処理（図６参照）に相当する実行可能プログラムであり、デジタルコンテンツ素材更新手段１１２に該当するプログラムである。
制御プログラム３０４は、情報処理サーバ１０１の各構成部分を駆動制御するプログラムであり、ＯＳ（オペレーティングシステム）に相当する。
【００４７】
次に、図５を参照しながら、クライアント端末１０３のハードウェア構成を説明する。図５は、クライアント端末１０３のハードウェア構成図である。
【００４８】
クライアント端末１０３は、制御部４０１、記憶部４０２、通信制御部４０３、メディア入出力部４０４、入力部４０５、表示部４０６、印刷部４０７等が、システムバス４０９を介して接続される。
クライアント端末１０３のハードウェア構成は、図２について前述したサーバ１０１と同様の構成を採る。
【００４９】
尚、記憶部４０２には、プログラムに関しては、ＯＳ（オペレーティングシステム）に相当する制御プログラム３０４や、Ｗｅｂブラウザ１２０に相当するアプリケーションプログラム等が格納されている。これらの各プログラムコードは、制御部４０１により必要に応じて読み出されてＲＡＭに移され、ＣＰＵに読み出されて各種の手段として実行される。
【００５０】
次に、図６を参照しながら、情報処理サーバ１０１のデジタルコンテンツ素材１１１の更新処理について説明する。図６は、情報処理サーバ１０１のデジタルコンテンツ素材１１１の更新処理の処理動作を示すフローチャートである。
【００５１】
情報処理サーバ１０１の記憶部２０２には、デジタルコンテンツ素材１１１、及びデジタルコンテンツ素材更新手段１１２に該当する実行プログラムであるデジタルコンテンツ素材更新プログラム３０３が格納されている。以下の情報処理サーバ１０１の処理は、この実行プログラムの制御に従って、情報処理サーバ１０１の制御部２０１によって行われる。
【００５２】
情報処理サーバ１０１の制御部２０１は、デジタルコンテンツ素材１１１の掲載商品に対する更新情報３０２を取得する（ステップＳ６０１）。更新情報３０２は、商品固有番号と更新データを有する。更新情報３０２の取得方法は、本発明で規定するところではないが、例えば、ネットワーク１０９を介して、各商品の販売元サーバ１０５から、更新情報３０２を受信してもよいし、何らかの媒体で販売元から入力した情報を基に更新情報３０２を作成してもよい。
【００５３】
制御部２０１は、当該更新情報３０２の商品固有番号を基に、記憶部２０２のデジタルコンテンツ素材１１１のリンク情報４３を検索する（ステップＳ６０２）。
制御部２０１は、商品固有番号５４の一致したリンク情報４３の表示情報５３を、更新情報３０２の更新データに書き換え、保持する（ステップＳ６０３）。
【００５４】
制御部２０１は、全ての更新情報３０２に対して更新処理が終了したかどうかを判断する（ステップＳ６０４）。全ての更新情報３０２に対する更新処理が終了するまで（ステップＳ６０４のＮｏ）、制御部２０１は、ステップＳ６０２からステップＳ６０４の更新処理を繰り返す。
【００５５】
尚、本実施の形態では、リンク情報４３の表示情報５３を更新情報３０２の更新データに書き換えたが、表示情報のアドレスとして、更新データのアドレスを設定してもよい。
【００５６】
情報処理サーバ１０１は、上記のデジタルコンテンツ素材更新処理を、定期的、或いは、更新情報３０２が発生した時点で、実行する。
【００５７】
次に、情報処理サーバ１０１のデジタルコンテンツ素材１１１の提供、及びクライアント端末１０３の閲覧処理について説明する。
図７は、情報処理サーバ１０１のデジタルコンテンツ素材１１１の提供及びクライアント端末１０３の閲覧処理の処理手順のフローチャートである。
図８は、デジタルコンテンツ素材画面８００を示す図である。
図９は、アンカー情報に付随した最新情報表示を示す図である。
図１０は、デジタルコンテンツ素材（２次元バーコード付加）画面１０００を示す図である。
図１１は、デジタルコンテンツ素材（最新情報付加）画面１１００を示す図である。
【００５８】
クライアント端末１０３の記憶部４０２には、アプリケーションプログラムであるＷｅｂブラウザ１２０がインストールされており、以下のクライアント端末１０３の処理（Ｗｅｂブラウザ１２０を介した情報処理サーバ１０１へのアクセス、情報処理サーバ１０１への指示等）は、クライアント１０３の制御部４０１によって行われる。
【００５９】
図７に示すように、クライアント端末１０３の制御部４０１は、Ｗｅｂブラウザ１２０を介して、情報処理サーバ１０１の所定のサイトであるデジタルコンテンツ素材１１１にアクセスする（ステップＳ７０１）。
【００６０】
情報処理サーバ１０１の制御部２０１は、Ｗｅｂサーバ１１０を介して、デジタルコンテンツ素材１１１をクライアント端末１０３に提供する（ステップＳ７０２）。
【００６１】
クライアント端末１０３の制御部４０１は、Ｗｅｂブラウザ１２０を介して、デジタルコンテンツ素材１１１を受信し、デジタルコンテンツ素材画面８００を表示する（ステップＳ７０３）。
例えば、図８に示すようなデジタルコンテンツ素材８００画面は、複数の商品情報領域８１からなる。
【００６２】
制御部４０１は、デジタルコンテンツ素材画面８００上の商品情報領域８１の所定の画像／文字である掲載情報８２にマウスカーソル８４を置く（又はキーボードの所定のキーを割付け、押下する）と、当該掲載情報８２の当該位置にリンクされているリンク情報４３の表示情報５４を表示する（ステップＳ７０４）。
【００６３】
例えば、図９（ａ）に示すように、通常、掲載情報「商品注文番号」８２にリンクが張られている場合、掲載情報「商品注文番号」８２にマウスカーソルを置くと、「お申し込み番号４３５６７の商品詳細へ」と記載されたアンカー情報に付随した基本情報６１のツールチップ表示を行う。
次に、図９（ｂ）に示すように、商品の在庫切れが発生した場合、予め、情報処理サーバ１０１のデジタルコンテンツ素材更新手段１１２により、デジタルコンテンツ素材１１１の当該リンク情報４３が更新され、掲載情報（商品注文番号）８２にマウスカーソルを置くと、「完売しました。注文できません。」と記載された最新情報６２のツールチップ表示を行う。
また、図９（ｂ）と同様に、商品の在庫切れが発生した場合、図９（ｃ）に示すように、掲載情報（商品注文番号）８２にマウスカーソルを置くと、「完売しました。注文できません。」と記載された最新情報（画像データ）６３を重ねて表示する。
【００６４】
尚、本実施の形態では、マウスカーソルの所定のマウスイベントとして、所定の画像／文字である掲載情報８２にマウスカーソル８４を置くことにより、最新情報６２の表示を行ったが、キーボードの所定のキーを割付け、押下することにより、最新情報６２の表示を行ってもよい。
【００６５】
また、図１０に示すように、「２次元バーコード表示」ボタン９１を押下すると、制御部４０１は、現ページ内の各商品に対して、２次元バーコード（ＱＲコード）６４のリンク情報４３を取得し（ステップＳ６０５）、当該リンク情報４３の表示情報（２次元バーコード）５３を位置情報５１の位置に重ね描きしたデジタルコンテンツ素材（２次元バーコード付加）画面１０００を表示する（ステップＳ６０６）。２次元バーコード（ＱＲコード）６４は、当該商品を購入するサイトへのＵＲＬや商品の詳細情報を、２次元バーコード化した透過ＧＩＦ等の画像データである。
【００６６】
また、図１１に示すように、「最新情報表示」ボタン９２を押下すると、制御部４０１は、現ページ内の各商品に対して、最新情報（画像データ）６３を有する商品の当該リンク情報４３の表示情報（最新情報）５３を位置情報５１の位置に重ね描きしたデジタルコンテンツ素材（最新情報付加）画面１１００を表示する。最新情報（画像データ）６３は、例えば、在庫切れや価格改定等の情報を表す透過ＧＩＦ等の画像データである。
【００６７】
尚、本実施の形態では、マウスカーソルの所定のマウスイベントとして、デジタルコンテンツ素材画面上の所定のボタン（「２次元バーコード表示」ボタン９１、「最新情報表示」ボタン９２等）を押下することにより、２次元バーコード（ＱＲコード）６４、最新情報（画像データ）６３等の表示を行ったが、キーボードの所定のキーを割付け、押下することにより、２次元バーコード（ＱＲコード）６４、最新情報（画像データ）６３等の表示を行ってもよい。
【００６８】
以上説明したように、本発明の実施の形態によれば、情報処理サーバ１０１は、ＤＴＰデータ等の印刷物作成用データをＷｅｂサービスに変換し、印刷物作成用データを構成するページ毎の、複数の商品情報を配置する印刷物画像データ４１と、商品情報の文字／画像にリンクさせ、商品の関連情報の表示・リンク制御を行うリンク情報４３、を有するデジタルコンテンツ素材１１１と、商品固有番号に対応付けられる商品の関連情報を取得し、デジタルコンテンツ素材１１１から、商品固有番号に基づいて、検索、抽出したリンク情報４３の表示情報５３を、更新情報３０２に書き換え、保持するデジタルコンテンツ素材更新手段１１２と、を備え、クライアント端末１０３からの要求に応じて、マウスカーソルの所定のマウスイベント（掲載情報にマウスカーソルを置く／所定のボタン押下／キーボードの所定のキーを割付け押下等）に応じて、デジタルコンテンツ素材更新手段１１２により更新された商品の更新情報を表示可能とするデジタルコンテンツ素材１１１を、クライアント端末１０３に提供する。
【００６９】
これにより、印刷物の掲載内容と、印刷物作成用データをＷｅｂサービスに変換したデジタルコンテンツ素材の掲載内容との整合性をとりつつ、デジタルコンテンツ素材画面にて掲載商品に関する更新情報を適宜表示可能とする。印刷物に記載された商品の内容(例えば、価格、在庫数)が有効である期間内において、その印刷物内の掲載商品に価格改定、在庫切れなどが発生した際は、従来は、掲載商品の販売元のサイトに入ってはじめて、掲載商品の最新情報の確認を行うことが可能であったが、操作手順を簡略化し、デジタルコンテンツ素材画面（カタログサイト）で利用者に対して最新情報を告知することが可能となる。
また、印刷物の掲載内容と、そのデジタルコンテンツ素材の掲載内容との整合性をとりつつ、印刷物のデザイン性を損なうことなく、掲載商品の詳細情報（例えば、購入サイトへのＵＲＬや店舗情報等）の２次元バーコードで提示することを可能とする。
【００７０】
尚、本実施の形態では、リンク情報４３の表示情報５３を更新情報３０２の更新データに書き換え、表示したが、表示情報のアドレスとして、更新データのアドレスを設定し、表示させてもよい。
【００７１】
尚、図６、図７に示す処理を行うプログラム、及びデジタルコンテンツ素材１１１はＣＤ−ＲＯＭ等の記録媒体に保持させて流通させてもよいし、このプログラムを通信回線を介して送受することもできる。
【００７２】
以上、添付図面を参照しながら、本発明に係る情報処理システム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００７３】
【図１】本実施の形態に係る情報処理システム１００の構成を示すブロック図
【図２】情報処理サーバ１０１のハードウェア構成図
【図３】記憶部２０２が保持する情報を示す図
【図４】デジタルコンテツ素材１１１のデータ構成を示す図
【図５】クライアント端末１０３のハードウェア構成図
【図６】情報処理サーバ１０１のデジタルコンテンツ素材１１１の更新処理の処理動作を示すフローチャート
【図７】情報処理サーバ１０１のデジタルコンテンツ素材１１１の提供及びクライアント端末１０３の閲覧処理の処理手順のフローチャート
【図８】デジタルコンテンツ素材画面８００を示す図
【図９】アンカー情報に付随した最新情報表示を示す図
【図１０】デジタルコンテンツ素材（２次元バーコード付加）画面１０００を示す図
【図１１】デジタルコンテンツ素材（最新情報付加）画面１１００を示す図
【符号の説明】
【００７４】
１００………情報処理システム
１０１………情報処理サーバ
１０３………クライアント端末
１０９………ネットワーク
１１０………Ｗｅｂサーバ
１１１………デジタルコンテンツ素材
１１２………デジタルコンテンツ素材更新手段
１２０………Ｗｅｂブラウザ
２０１、４０１………制御部
２０２、４０２………記憶部
３０２………更新情報
３０３………デジタルコンテンツ素材更新プログラム
４１………印刷物画像データ
４２………商品情報
４３………リンク情報
５１………位置情報
５２………リンク先アドレス
５３………表示情報
５４………商品固有番号
６１………基本情報
６２………最新情報
６３………最新情報（画像データ）
６４………２次元バーコード（ＱＲコード）
８１………商品情報領域
９１………「２次元バーコード表示」ボタン
９２………「最新情報表示」ボタン
【図１】
2006350403.tif 000003
【図２】
2006350403.tif 000004
【図３】
2006350403.tif 000005
【図４】
2006350403.tif 000006
【図５】
2006350403.tif 000007
【図６】
2006350403.tif 000008
【図７】
2006350403.tif 000009
【図８】
2006350403.tif 000010
【図９】
2006350403.tif 000011
【図１０】
2006350403.tif 000012
【図１１】
2006350403.tif 000013